(57)【要約】      （修正有）【課題】簡単な構造で確実に封止し、高い改ざん防止効果を有する包装箱を提供する。【解決手段】互いに平行に連接された側面１８，２０と、側面１８に折罫線７６を介して連接され開口部を閉鎖する上蓋片７４と、上蓋片７４の先端に設けられた差込片８０を有する。上蓋片７４と側面１８の間の折罫線７６の一部に設けられた差込用切断線７８を備える。側面の端部に設けられ上蓋片７４とほぼ同じ大きさの覆い片３２を備える。覆い片３２の先端に設けられ上蓋片７４の差込用切断線７８に差し込まれる係止片４６を備える。係止片４６の中心には、係止片４６の突出方向に交差する折返し線５０を有する。折返し線５０の中心には、係止片４６の基端部に向かって突出するコの字形の突起用切断線５２を備える。突起用切断線５２の内側部分は、折返し線５０がなく、折返し線５０を二つ折りした際に、折返し線５０から突出する突起５１となる。【選択図】図１
0003177596.tif 000002
【実用新案登録請求の範囲】
【請求項１】
一枚のブランクシートから一体的に打ち抜かれた箱体形成片から成り、
前記箱体形成片には、互いに平行に連接された側面と、前記側面同士を糊付けして筒体に組み立てる糊付片と、前記側面の一つに折罫線を介して連接され前記側面の筒体の開口部を閉鎖する上蓋片と、前記上蓋片の先端に折罫線を介して連接して設けられた差込片と、前記上蓋片と前記側面の間の前記折罫線の一部に設けられた差込用切断線と、前記上蓋片が設けられている側面に対して平行な側面の端部に設けられ前記上蓋片とほぼ同じ大きさの覆い片と、前記覆い片の先端に折罫線を介して設けられ前記上蓋片の前記差込用切断線に差し込まれる係止片が設けられ、
前記係止片の中心には、前記係止片の突出方向に交差する折返し線が前記係止片を横断して形成され、
前記折返し線の中心には前記係止片の基端部に向かって突出するコの字形の突起用切断線が設けられ、前記突起用切断線の内側部分は、前記折返し線がなく、
前記折返し線を二つ折りしたときに前記折返し線から突出する突起が形成され、組立状態で、前記係止片は前記折返し線を二つ折りした状態で前記上蓋片の前記差込用切断線に差し込まれ、この状態では、前記折返し線から突出した突起が前記上蓋片の前記差込片の裏面に重ねられて前記係止片の二つ折り状態を維持し、前記係止片の折り返された端部が前記上蓋片の裏面に当接することを特徴とする包装箱。
【請求項２】
前記係止片は、端部から前記折返し線までの部分は長方形であり、前記折返し線から前記折罫線までの部分は前記折返し線を上底とし前記折罫線を下底とする台形に設けられ、前記係止片の基端部は、角部が面取りされた形状に切り欠かれて当接部が設けられ、
組立状態で、前記係止片の前記当接部が前記差込用切断線の両脇部分に係止される請求項１記載の包装箱。
【請求項３】
前記覆い片が設けられている前記側面には、前記覆い片が区切られている前記折罫線に沿う開封用破断線が設けられ、前記開封用破断線の中心部分は前記側面の中心に向かってコの字形に膨出して前記折罫線から離れて設けられ、前記側面の、前記開封用破断線と前記折罫線で囲まれた部分は、前記上蓋片の前記差込片に糊付けされる糊付部となる請求項２記載の包装箱。
【請求項４】
前記覆い片には吊下片が設けられ、前記吊下片は、前記覆い片の中心に設けられた折罫線と、前記折罫線の両端部に連続するコの字形の吊下片用破断線で囲まれて周囲と区切られ、中心には透孔が設けられている請求項１記載の包装箱。
【考案の詳細な説明】
【技術分野】
【０００１】
この考案は、上蓋片を閉じて箱体上面の開口部を閉鎖する包装箱に関する。
【背景技術】
【０００２】
従来、商品を収容して店頭に陳列する包装箱には、１枚のブランクシートから一体的に打ち抜かれた箱体形成片を組み立てたものがある。このような包装箱は、互いに平行に連接された側面と、この側面から連なって箱体上面の開口部を閉鎖する上蓋片と、上蓋片に連接し対向する側面の内側に差し込んで閉鎖する差込片が設けられている。この開口部を確実に封止する場合は、上蓋片と側面を粘着テープで止めたり、差込片と側面を接着剤で糊付けする等、他部材の係止手段を使用している。さらに包装箱には、上蓋片等に開封跡が残る構造により改ざん防止効果を有するものもある。
【０００３】
例えば、特許文献１に開示されている包装箱は、蓋フラップの端部に、対向する一側面の内側に差し込まれて係止される差込片が折罫線を介して形成され、折罫線の途中にはスリット状の挿通孔が設けられている。挿通孔の差込片側の端部には、挿通孔の中央に向かって突出する受け片が設けられている。受け片は、２本の切断線で周囲と区切られ、２本の切断線の差込片側の端部どうしは折罫線で区切られている。差込片が差し込まれる側面の上端部には、挿通孔に差し込まれる差し入れ部が設けられ、差し入れ部の先端には折罫線を介して第二係止片が連接して設けられている。蓋フラップには、挿通孔を挟んで一対のミシン線が形成されている。この包装箱を組み立てて開口部を閉鎖するとき、蓋フラップを閉じて差込片を折罫線で折り曲げて側面内側に差し込む。そして、挿通孔に、差し入れ部を、第二係止片を折罫線で裏面側に折り返した状態で差し込む。すると、包装箱の内側で第二係止片は折り返した状態から復元する力が働き、回動する方向に力が加えられると、挿通孔の受け片が差込片を受け止めて回動を規制し、第二係止片の先端が挿通孔位置より下位の部分に対応するように位置決めし、開封できない状態となる。包装箱を開封する時は、蓋フラップの一対のミシン線を切断して挿通孔を拡げ、差し入れ部を引き出し、係合を解除する。
【０００４】
また、特許文献２に開示されている包装箱は、一側面に上蓋片が設けられ、上蓋片の端部には、対向する側面の内側に差し込まれて係止される上蓋差込片が折罫線を介して形成されている。上蓋片と側面の間の折罫線には、案内スリットが設けられている。上蓋片と反対側の側面の上端部には上蓋フラップが切断可能な切離折曲線を介して設けられている。上蓋フラップには、差込係止片が折曲線を介して設けられ、この差込係止片と上蓋フラップとの間の折曲線の両端には互いに内側方向へ切り込まれた切込溝が形成されると共に、各切込溝の上部に差込係止片の両端が突出した爪部が形成されている。一方、箱体の背面の上部には切断折曲線の略中央に所定幅で連設された押込片が切離し可能に設けられている。この包装箱を組み立てて開口部を閉鎖する際には、箱体の天面を封緘した上蓋片の上方に上蓋フラップを被せ、上蓋フラップの差込係止片を案内スリットに差し込む。この差込係止片の両端の爪部が案内スリットの両端部に係止され抜けにくいものとなり、上蓋フラップを開封できない状態となる。
【先行技術文献】
【特許文献】
【０００５】
【特許文献１】特開２００５−８２６２号公報
【特許文献２】特開２０１１−２３０８３７号公報
【考案の概要】
【考案が解決しようとする課題】
【０００６】
上記特許文献１の場合、折り返した第二係止片が差し込み片に当接して蓋フラップを係止しているが、第二係止片の折返しを維持する受け片が小さいため、受け片が外れて第二係止片の折り返しが解除されて係止が外れるおそれがあった。また、特許文献２の場合、差込係止片の爪部が案内スリットの周縁部に引っ掛かって上蓋フラップを係止しているだけなので、係合機能が弱く、不用意に外れるおそれがあった。
【０００７】
この考案は、上記背景技術の問題点に鑑みてなされたものであり、簡単な構造で確実に封止し、高い改ざん防止効果を有する包装箱を提供することを目的とする。
【課題を解決するための手段】
【０００８】
この考案は、一枚のブランクシートから一体的に打ち抜かれた箱体形成片から成り、前記箱体形成片には、互いに平行に連接された側面と、前記側面同士を糊付けして筒体に組み立てる糊付片と、前記側面の一つに折罫線を介して連接され前記側面の筒体の開口部を閉鎖する上蓋片と、前記上蓋片の先端に折罫線を介して連接して設けられた差込片と、前記上蓋片と前記側面の間の前記折罫線の一部に設けられた差込用切断線と、前記上蓋片が設けられている側面に対して平行な側面の端部に設けられ前記上蓋片とほぼ同じ大きさの覆い片と、前記覆い片の先端に折罫線を介して設けられ前記上蓋片の前記差込用切断線に差し込まれる係止片が設けられている包装箱である。前記係止片の中心には、前記係止片の突出方向に交差する折返し線が前記係止片を横断して形成され、前記折返し線の中心には前記係止片の基端部に向かって突出するコの字形の突起用切断線が設けられ、前記突起用切断線の内側部分は、前記折返し線がなく、前記折返し線を二つ折りしたときに前記折返し線から突出する突起が形成される。そして、前記包装箱の組立状態で、前記係止片は前記折返し線を二つ折りした状態で前記上蓋片の前記差込用切断線に差し込まれ、この状態では、前記折返し線から突出した突起が前記上蓋片の前記差込片の裏面に重ねられて前記係止片の二つ折り状態を維持し、前記係止片の折り返された端部が前記上蓋片の裏面に当接し、前記係止片が前記差込用切断線から抜けることを防いでいる。
【０００９】
また、前記係止片は、端部から前記折返し線までの部分は長方形であり、前記折返し線から前記折罫線までの部分は前記折返し線を上底とし前記折罫線を下底とする台形に設けられている。前記係止片の基端部は、角部が面取りされた形状に切り欠かれて当接部が設けられている。そして、前記包装箱の組立状態で前記係止片の折り返された端部が前記上蓋片の裏面に当接し、前記係止片が前記差込用切断線から抜けることを防ぐとともに、前記係止片の前記当接部が前記差込用切断線の両脇部分に係止され、より確実に前記係止片が前記差込用切断線から抜けることを防いでいる。
【００１０】
また、前記覆い片が設けられている前記側面には、前記覆い片が区切られている前記折罫線に沿う開封用破断線が設けられ、前記開封用破断線の中心部分は前記側面の中心に向かってコの字形に膨出して前記折罫線から離れて設けられ、前記側面の、前記開封用破断線と前記折罫線で囲まれた部分は、前記上蓋片の前記差込片に糊付けされる糊付部となる。
【００１１】
前記覆い片には吊下片が設けられ、前記吊下片は、前記覆い片の中心に設けられた折罫線と、前記折罫線の両端部に連続するコの字形の吊下片用破断線で囲まれて周囲と区切られ、中心には透孔が設けられている。
【００１２】
前記上蓋片が設けられた側面に隣接する一対の側面には、折罫線を介して設けられた上フラップが各々設けられている。
【考案の効果】
【００１３】
この考案の包装箱は、簡単な構造で確実に封止し、高い改ざん防止効果を有するものである。しかも、糊や粘着テープ等の係止手段が不要で組立工程が簡単でコストが安価であり、店頭で吊り下げて陳列することもできるものである。
【図面の簡単な説明】
【００１４】
【図１】この考案の一実施形態の包装箱の第１組立工程を示す斜視図である。
【図２】この実施形態の包装箱の第２組立工程を示す斜視図である。
【図３】この実施形態の包装箱の使用状態を示す斜視図である。
【図４】この実施形態の包装箱の開封した状態を示す斜視図である。
【図５】この実施形態の包装箱の展開図である。
【考案を実施するための形態】
【００１５】
以下、この考案の実施形態について図面に基づいて説明する。図１〜図５はこの考案の一実施形態を示すもので、この実施形態の包装箱１０は、紙製等の一枚のブランクシートを打ち抜いて形成された箱体形成片１２を組み立てて設けられている。
【００１６】
図５は、箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０が短くて互いにほぼ等しい。側面１４の側縁部には、包装箱１０の組立状態で側面２０の裏面に糊付けされる糊付片２２が設けられている。そして、糊付片２２、側面１４，１６，１８，２０は、各々折罫線２４，２６，２８，３０で区切られている。
【００１７】
側面１４において、側面どうしの連接方向に対して直角な方向の一方の端部には、矩形の覆い片３２が折罫線３４で区切られて設けられている。覆い片３２は、後述する上蓋片７４とほぼ同じ大きさであり、包装箱１０の組立状態で、側面１４，１６，１８，２０で作られた筒体の開口部を閉鎖する形状である。折罫線３４には開封用破断線３６が設けられ、開封用破断線３６は折罫線２４，２６に隣接する両側部分は折罫線３４に一致し、中心部分は側面１４の中心に向かってコの字形に膨出して折罫線３４から離れて設けられている。側面１４の、開封用破断線３６と折罫線３４で囲まれた部分は、後述する開封時の押込み部３８となる。
【００１８】
覆い片３２には、吊下片３９が設けられている。吊下片３９は、覆い片３２の中心に設けられ折罫線３４に対して平行で折罫線３４より短い折罫線４０と、折罫線４０の両端部と折罫線３４の中心を連続するコの字形の吊下片用破断線４２で囲まれて周囲と区切られている。吊下片３９は、折罫線４０が下底で折罫線３４を上底とする台形状に形成され、中心には透孔４４が設けられている。
【００１９】
覆い片３２の折罫線３４と反対側の端部３２ａの中心部分には、係止片４６が折罫線４８で区切られて設けられている。係止片４６は、覆い片３２よりも小さい変形した５角形であり、折罫線４８と反対側の端部４６ａは折罫線４８に対して平行で、折罫線４８と反対側の端部４６ａまでの長さは覆い片３２の折罫線３４から端部３２ａまでの長さよりも短い。係止片４６の中心には、係止片４６の突出方向に交差する折返し線５０が設けられ、折返し線５０は折罫線４８に対して平行で係止片４６を横断して形成されている。
【００２０】
折返し線５０の中心には、係止片４６の基端部側である折罫線４８に向かって突出するコの字形の突起用切断線５２が設けられている。突起用切断線５２の内側部分は、折返し線５０がなく、折返し線５０を二つ折りしたときに折返し線５０から突出する突起５１が形成される。係止片４６は、端部４６ａから折返し線５０までの部分は長方形であり、折返し線５０から折罫線４８までの部分は折返し線５０を上底とし折罫線４８を下底とする台形に設けられている。係止片４６の基端部、つまり折罫線４８に接する部分は、角部が面取りされた形状に切り欠かれて当接部５４が設けられている。
【００２１】
側面１４の、折罫線３４と反対側の端部には、第一底蓋片５６が折罫線５８で区切られて設けられている。第一底蓋片５６は、折罫線５８を下底とする台形状に形成され、折罫線５８から、折罫線５８に対して平行な上底である端部５６aまでの長さは、包装箱１０の組立状態で底部分の中心線付近に位置する長さ、つまり側面１６，２０の約半分の幅に設けられている。第一底蓋片５６の、側面１６に隣接する傾斜した側縁部には、略三角形の底部糊付片６０が折罫線６２で区切られて設けられている。第一底蓋片５６の端部５６ａには、底部糊付片６０近傍に、第一底蓋片５６内側にくぼむ凹部６４が設けられている。
【００２２】
側面１６の、側面１４の折罫線３４に隣接する端部には、矩形の上フラップ６６が折罫線６８で区切られて設けられている。側面１６の、折罫線６８と反対側の端部には、略三角形状の底フラップ７０が折罫線７２で区切られて設けられている。
【００２３】
側面１８の、側面１６の折罫線６８に隣接する端部には、上蓋片７４が折罫線７６で区切られて設けられている。折罫線７６の中心部分には、差込用切断線７８が設けられている。差込用切断線７８は、係止片４６の端部４６ａよりわずかに長く設けられ、係止片４６の当接部５４に隣接する一番幅が広い部分よりもわずかに短く設けられている。差込用切断線７８は、係止片４６よりもわずかに上蓋片７４へ移動した位置に設けられている。上蓋片７４の折罫線７６と反対側の端部には、さらに差込片８０が折罫線８２で区切られて設けられている。側面１８の、折罫線７６と反対側の端部には、第二底蓋片８４が折罫線８６で区切られて設けられている。第二底蓋片８４は、折罫線８６を下底とする台形状に形成され、折罫線８６から、折罫線８６に対して平行な上底である端部８４aまでの長さは、包装箱１０の組立状態で底部分の中心線付近に位置する長さ、つまり側面１６，２０の約半分の幅に設けられている。第二底蓋片８４の、側面２０に隣接する傾斜した側縁部には、略三角形の底部糊付片８８が折罫線９０で区切られて設けられている。第二底蓋片８４の端部８４ａには、底部糊付片８８近傍に、第二底蓋片８４内側にくぼむ凹部９１が設けられている。
【００２４】
側面２０の、側面１８の折罫線７６に隣接する端部には、矩形の上フラップ９２が折罫線９４で区切られて設けられている。側面２０の、折罫線９４と反対側の端部には、略三角形状の底フラップ９６が折罫線９８で区切られて設けられている。
【００２５】
次に、この実施形態の包装箱１０の組立方法の一例について説明する。なお、ここでは図５が包装箱１０の箱体形成片１２の表面を見たものであり、箱体形成片１２の表面が凸になる折り方を正折り、そして裏面が凸になる折り方を逆折りと称する。
【００２６】
まず、折罫線５８，７２，８６，９８を正折りし、折罫線６２，９０を逆折りし、底部糊付片６０，８８の裏面に糊１００，１０２を塗布する。そして、糊付片２２の表面に糊１０４を塗布する。折罫線２６を正折りし、折罫線３０を正折りする。これにより、糊付片２２の表面は糊１０４により側面２０の裏面に糊付けされ、底部糊付片６０の裏面は糊１００により底フラップ７０の表面に、底部糊付片８８の裏面は糊１０２により底フラップ９６の表面に糊付けされる。これにより、折り畳み状態となり、この状態で出荷される。
【００２７】
次に、収容物を収容し包装する工場等において、折罫線２４，２６，２８，３０を各々９０°に正折りして四角形の箱体にする。このとき、第一底蓋片５６の底部糊付片６０は底フラップ７０に、第二底蓋片８４の底部糊付片８８は底フラップ９６に糊付けされているため、二つ折りされていた折罫線５８，７２，８６，９８は自動的に引き起こされてほぼ９０°に開き、底部が形成される。そして、第一底蓋片５６の凹部６４と、第二底蓋片８４の凹部９１が互いに係合される。このため、底部を折り畳み状態に戻す力が働いても戻ることがない。
【００２８】
次に、組み立てられた側面１４，１６，１８，２０と底部から成る箱体の内側に商品を入れ、折罫線６８，９４で上フラップ６６，９２を９０°に正折りし、折罫線７６で上蓋片７４を９０°に正折りし、差込片８０を折罫線８２で正折りし、差込片８０を側面１４の裏面側に差し込んで係止し、図１に示すように上面が形成される。そして、図２に示すように、係止片４６の折返し線５０を正折りして係止片４６を二つ折りして重ねる。この状態で、突起用切断線５２は開かれて突起用切断線５２の内側部分が突起５１となり、折返し線５０から突出する。
【００２９】
そして、折罫線３４で覆い片３２を９０°に正折りし、係止片４６を折返し線５０で二つ折りした状態で９０°に正折りし、係止片４６を側面１８の差込用切断線７８に差し込む。この状態で、係止片４６の両側の当接部５４が差込用切断線７８の両端部に当接し、抜けにくいものとなる。さらに、係止片４６は折返し線５０で二つ折りされているため、端部４６ａは上蓋片７４の裏面に当接し、係止片４６に強い力が加えられても差込用切断線７８から抜けることを防ぐ。さらに、突起５１は、端部４６ａを有する係止片４６の先端部分と面一に延出し、突起５１が側面１８の裏面に重ねられて折返し線５０で係止片４６が復元することを防いでいる。
【００３０】
以上の状態で、包装が完了する。包装箱１０を吊り下げて陳列する時は、図３に示すように覆い片３２の吊下片用破断線４２を切断し、吊下片３９を折罫線４０で９０°に逆折りして立ち上げる。吊下片３９の透孔４４にフック等を通して吊り下げる。
【００３１】
包装箱１０を開封する時は、図４に示すように、側面１４の押込み部３８を押して開封用破断線３６を切断し、覆い片３２と上蓋片７４を上に持ち上げて開封する。
【００３２】
この実施形態の包装箱１０によれば、簡単な構造で箱体形成片１２を組み立てるだけで確実に封止することができる。高い改ざん防止機能を持たせ、確実に商品を改ざんから保護することができる。封止のための粘着テープや糊等の別部材が不要で、組立工程が簡単で、コストが安価となる。係止片４６は、当接部５４が差込用切断線７８の両端部に当接して抜けにくく、さらに二つ折りされた端部４６ａが上蓋片７４の裏面に当接するため、係止片４６に強い力が加えられても差込用切断線７８から引き抜くことが困難である。特に、係止片４６の突起５１は、端部４６ａを有する係止片４６の先端部分と面一に設けられ、突起５１が側面１８の裏面に重ねられて折返し線５０が復元することを防いでいるため、不用意に係合が解除されることがない。開封する時は、側面１４の押込み部３８を押すだけで簡単に開封用破断線３６を切断し、開封用破断線３６を側面１４から取り外して、覆い片３２と上蓋片７４を上に持ち上げて開封することができ、便利である。しかも、係止片４６を上蓋片７４の差込用切断線７８から引き抜くことが困難であり、開封用破断線３６を切断して押込み部３８を外さなければ開封することができず、開封した跡が確実に残るため、改ざん防止効果が高いものである。
【００３３】
なお、この考案は上記実施形態に限定されるものではなく、各側面の大きさや形状、底部の構造等、自由に変更可能であり、覆い片と上蓋片は、互いに対向している一対の側面に設けられていればよく、上記以外の側面に設けられてもよい。係止片、突起、開封用破断線等の形状は、適宜変更可能である。吊下片がないものでもよい。
【符号の説明】
【００３４】
１０  包装箱
１２  箱体形成片
１４，１６，１８，２０  側面
２２  糊付片
３２  覆い片
３６  開封用破断線
３８  押込み部
４６  係止片
５０  折返し線
５１  突起
５２  突起用切断線
５４  当接部
７４  上蓋片
７８  差込用切断線
８０  差込片
【図１】
0003177596.tif 000003
【図２】
0003177596.tif 000004
【図３】
0003177596.tif 000005
【図４】
0003177596.tif 000006
【図５】
0003177596.tif 000007